(57)【特許請求の範囲】
【請求項１】
給湯装置を遠隔操作対象とし、この給湯装置についての多数の操作項目を前記給湯装置の機能毎に階層構造により分類された状態で記憶する記憶手段と、表示手段と、前記表示手段に対し表示処理を行う表示制御手段と、前記表示手段に表示された操作項目について選択操作するための選択操作手段と、選択操作手段により設定変更された情報を遠隔操作対象に対し送信する通信制御手段とを備えた遠隔操作装置であって、
前記表示制御手段は、前記選択操作手段により選択操作可能な状態にして前記表示手段に表示される最上位の階層に分類された２以上の分類項目名と同じ表示画面に対し、以前の選択操作に係る２以上の履歴項目からなる履歴情報を前記表示手段に表示する一方、前記多数の操作項目の内から任意の一の操作項目が選択操作されて設定変更されたとき、最新の選択操作に係る前記一の操作項目が属する階層よりも１段階上位の階層であって前記最上位の階層との中間の階層の分類項目名を前記履歴項目として前記表示手段に対し新しい順に表示し、かつ、前記選択操作手段により前記履歴情報を構成する２以上の履歴項目の内から任意の一の履歴項目を選択することにより、その履歴項目に対応する情報が前記表示手段に表示されることになるように構成され、しかも、前記中間の階層の分類項目名を前記履歴項目として前記表示手段に表示する際に、その中間の階層の分類項目名と、それまで最新の履歴情報として表示されていた前記中間の階層の分類項目名とが同一である場合には、前記選択操作されて設定変更された前記一の操作項目がそれまで最新の履歴情報として表示されたときの操作項目とは異なっていたとしても、表示変更を行わずにそれまでの表示を継続するように構成されている、
ことを特徴とする遠隔操作装置。
【請求項２】
請求項１に記載の遠隔操作装置であって、
前記表示制御手段は、前記履歴項目に対応する情報として、該当する履歴項目名と、その履歴項目である前記１段階上位の階層であって前記最上位の階層との中間の階層の分類項目に属する１以上の操作項目とを、この操作項目については前記選択操作手段により選択操作可能な状態にして、前記表示手段に表示するように構成されている、遠隔操作装置。
【発明の詳細な説明】
【技術分野】
【０００１】
本発明は、多数の操作項目から選択して操作するための遠隔操作装置に関し、特に限られた表示領域であっても使用者が容易に操作し易くし得る技術に係る。
【背景技術】
【０００２】
従来、遠隔操作装置において、多数の操作項目を階層別に分類し、最初に表示された上位の階層メニューから順次下位の階層の項目を選択していくことにより目的とする操作項目を表示させることが行われている。
【０００３】
ナビゲーション装置に適用した場合の遠隔操作装置においては、あるメニューから各階層毎に選択されて最下層の操作画面が表示された場合、最新に表示された最下層の操作画面と、これを表示するために選択された各階層の項目とを関連付けた情報を選択履歴として記憶し、次回のメニュー選択においてある項目についての選択時間が所定時間以上継続すれば、その項目についての選択履歴に基づいて途中の選択画面の表示をスキップして最下層の操作画面に直接に移動するようにすることが提案されている（例えば特許文献１参照）。
【０００４】
又、多数の操作項目をメニュー形式で表示するにあたり、最新に選択された項目を、又は、選択頻度が高い項目を、最優先で選択し得る位置に表示されるように各項目の表示位置を変更することも提案されている（例えば特許文献２参照）。
【先行技術文献】
【特許文献】
【０００５】
【特許文献１】特開２００７−２０７１８６号公報
【特許文献２】特開平４−１６３４９３号公報
【発明の概要】
【発明が解決しようとする課題】
【０００６】
ところで、給湯機能、ふろ機能又は温水暖房機能の内の少なくともいずれかを備えた熱源機の作動を操作するための遠隔操作装置（例えばリモコン）においては、設定変更可能な多数の操作項目があるにも拘わらず、その遠隔操作装置に配設し得る表示領域は前記操作項目数に比して極めて小さいものであるため、ユーザは自己が設定変更したい操作項目を探し当てて表示させるまでに多大な手間と時間を要することになる、という問題を有している。
【０００７】
たとえ、前記の多数の操作項目を階層別に分類したとしても、ユーザが設定変更したい最下層の操作項目まで辿り着くまでには手間と時間を要することになると考えられる。
【０００８】
本発明は、このような事情に鑑みてなされたものであり、その目的とするところは、多数の操作項目から選択して操作する上で、限られた表示領域であっても使用者が迅速に目的とする操作項目に辿り着くことができ容易に操作し得る遠隔操作装置を提供することにある。
【課題を解決するための手段】
【０００９】
上記目的を達成するために、本発明では、給湯装置を遠隔操作対象とし、この給湯装置についての多数の操作項目を前記給湯装置の機能毎に階層構造により分類された状態で記憶する記憶手段と、表示手段と、前記表示手段に対し表示処理を行う表示制御手段と、前記表示手段に表示された操作項目について選択操作するための選択操作手段と、選択操作手段により設定変更された情報を遠隔操作対象に対し送信する通信制御手段とを備えた遠隔操作装置を対象にして、次の特定事項を備えることとした。すなわち、前記表示制御手段として、前記選択操作手段により選択操作可能な状態にして前記表示手段に表示される最上位の階層に分類された２以上の分類項目名と同じ表示画面に対し、以前の選択操作に係る２以上の履歴項目からなる履歴情報を前記表示手段に表示する一方、前記多数の操作項目の内から任意の一の操作項目が選択操作されて設定変更されたとき、最新の選択操作に係る前記一の操作項目が属する階層よりも１段階上位の階層であって前記最上位の階層との中間の階層の分類項目名を前記履歴項目として前記表示手段に対し新しい順に表示し、かつ、前記選択操作手段により前記履歴情報を構成する２以上の履歴項目の内から任意の一の履歴項目を選択することにより、その履歴項目に対応する情報を前記表示手段に表示することになる構成とし、しかも、前記中間の階層の分類項目名を前記履歴項目として前記表示手段に表示する際に、その中間の階層の分類項目名と、それまで最新の履歴情報として表示されていた前記中間の階層の分類項目名とが同一である場合には、前記選択操作されて設定変更された前記一の操作項目がそれまで最新の履歴情報として表示されたときの操作項目とは異なっていたとしても、表示変更を行わずにそれまでの表示を継続する構成とした。
【００１０】
本発明の場合、給湯装置を機能させるために多数の操作項目があっても、いくつかの操作項目についての設定変更が繰り返されるという特性を有する遠隔操作装置においては、履歴情報が表示手段に対し表示されるため、ユーザは自己が過去に行った選択操作に係る記憶を容易に呼び起こして、次に選択操作したい操作項目又は選択操作すべき操作項目は何であるかを履歴情報に基づいて容易に把握し得ることになる。しかも、その履歴情報を構成する２以上の履歴項目から所望の履歴項目を選択操作するだけで、その履歴項目に対応する情報が前記表示手段に表示されるため、設定変更したい操作項目まで迅速に辿り着くことが可能となる。つまり、表示手段の表示領域が限られたものであって、多数の操作項目が同時には表示し切れなくて、階層構造に分類された内の所定数ずつしか表示手段に表示されないものであっても、その分類構造に従って順番に表示内容を切り換えて目的の操作項目まで辿り着く場合と比べ、いち早く、しかも、容易に目指す操作項目まで辿り着けるようになる。又、前記選択操作手段により選択操作可能な状態にして前記表示手段に表示される最上位の階層に分類された２以上の分類項目名と同じ表示画面に対し、前記履歴情報も併せて表示する構成としているため、機能別に最上位の階層に分類された２以上の分類項目から選択操作することにより目指す操作項目まで辿り着くか、あるいは、履歴情報から選択操作することにより目指す操作項目まで前述の如く辿り着くか、のいずれのアプローチを採用するかをユーザの選択の自由に委ねることが可能となり、ユーザの利便性を大幅に向上させ得ることになる。さらに、前記中間の階層の分類項目名を前記履歴項目として前記表示手段に表示する際に、その中間の階層の分類項目名と、それまで最新の履歴情報として表示されていた前記中間の階層の分類項目名とが同一である場合には、前記選択操作されて設定変更された前記一の操作項目がそれまで最新の履歴情報として表示されたときの操作項目とは異なっていたとしても、表示変更を行わずにそれまでの表示を継続する構成としているため、多数ある操作項目の名称自体よりも機能により分類された上位の階層の分類項目名の方が、ユーザにとっては自己が行いたい設定変更と容易に関連付けて把握することができ、操作項目名を履歴情報として表示する場合よりもユーザにとって容易に目的とする操作項目に辿り着けることができるようになる。
【００１１】
本発明の遠隔操作装置における表示制御手段としては、前記履歴項目に対応する情報として、該当する履歴項目名と、その履歴項目である前記１段階上位の階層であって前記最上位の階層との中間の階層の分類項目に属する１以上の操作項目とを、この操作項目については前記選択操作手段により選択操作可能な状態にして、前記表示手段に表示する構成とすることができる（請求項２）。このようにすることにより、ユーザが選択操作した履歴項目と共に、その履歴項目である分類項目に属する操作項目とが表示手段に表示される上に、その操作項目がそのまま選択操作可能な状態に表示されるため、ユーザが目的とする設定変更操作を容易に行うことができるようになる。
【発明の効果】
【００１３】
以上、説明したように、本発明の遠隔操作装置によれば、給湯装置を機能させるために多数の操作項目があっても、その内のいくつかの操作項目についての設定変更が繰り返されるという特性を有する遠隔操作装置においては、履歴情報を表示手段に対し表示させることで、ユーザ自身が過去に行った選択操作に係る記憶を容易に呼び起こさせることができ、次に選択操作したい操作項目又は選択操作すべき操作項目は何であるかを履歴情報に基づいて容易に把握することができるようになる。しかも、その履歴情報を構成する２以上の履歴項目から所望の履歴項目を選択操作するだけで、その履歴項目に対応する情報が表示手段に表示されるようにしているため、設定変更したい操作項目まで迅速に辿り着くことができるようになる。つまり、表示手段の表示領域が限られたものであって、多数の操作項目が同時には表示し切れなくて、階層構造に分類された内の所定数ずつしか表示手段に表示されないものであっても、その分類構造に従って順番に表示内容を切り換えて目的の操作項目まで辿り着く場合と比べ、いち早く、しかも、容易に目指す操作項目まで辿り着くことができるようになる。又、前記選択操作手段により選択操作可能な状態にして前記表示手段に表示される最上位の階層に分類された２以上の分類項目名と同じ表示画面に対し、前記履歴情報も併せて表示する構成としているため、機能別に最上位の階層に分類された２以上の分類項目から選択操作することにより目指す操作項目まで辿り着くか、あるいは、履歴情報から選択操作することにより目指す操作項目まで前述の如く辿り着くか、のいずれのアプローチを採用するかをユーザの選択の自由に委ねることが可能となり、ユーザの利便性を大幅に向上させ得ることになる。さらに、前記中間の階層の分類項目名を前記履歴項目として前記表示手段に表示する際に、その中間の階層の分類項目名と、それまで最新の履歴情報として表示されていた前記中間の階層の分類項目名とが同一である場合には、前記選択操作されて設定変更された前記一の操作項目がそれまで最新の履歴情報として表示されたときの操作項目とは異なっていたとしても、表示変更を行わずにそれまでの表示を継続する構成としているため、多数ある操作項目の名称自体よりも機能により分類された上位の階層の分類項目名の方が、ユーザにとっては自己が行いたい設定変更と容易に関連付けて把握することができ、操作項目名を履歴情報として表示する場合よりもユーザにとって容易に目的とする操作項目に辿り着けることができるようになる。
【００１４】
特に、請求項２によれば、履歴項目に対応する情報として、該当する履歴項目名と、その履歴項目である前記１段階上位の階層であって前記最上位の階層との中間の階層の分類項目に属する１以上の操作項目とを、この操作項目については選択操作手段により選択操作可能な状態にして表示手段に表示する構成とすることで、ユーザが選択操作した履歴項目と共に、その履歴項目である分類項目に属する操作項目とを表示手段に表示させることができる上に、その操作項目がそのまま選択操作可能な状態に表示されるため、ユーザが目的とする設定変更操作を容易に行うことができるようになる。
【図面の簡単な説明】
【００１６】
【図１】本発明の遠隔操作装置の実施形態としてのリモコンを示す説明図である。
【図２】リモコンと遠隔操作対象に内蔵されているコントローラとのブロック図である。
【図３】多数の操作項目を階層別に分類した例を示す説明図である。
【図４】図４（ａ）はメニュー画面の表示例を示す説明図であり、図４（ｂ）は図４（ａ）の履歴表示部に具体的な履歴情報が表示された例を示す説明図である。
【図５】表示制御の主要ルーチンを示すフローチャートである。
【図６】図６（ａ）は第１階層のふろメニューに属する第２階層の４種類の分類名と、その第２階層の分類名の内の「ふろ洗浄」に属する第３階層の２種類の操作項目との表示例を示す説明図であり、図６（ｂ）は図６（ａ）の表示例の操作項目の内の運転が選択可能となった表示例を示す説明図である。
【図７】図７（ａ）は図６（ｂ）の「ふろ洗浄」に属する第３階層の２種類の操作項目に続く他の操作項目が選択可能となった表示例を示す説明図であり、図７（ｂ）は図６（ａ）の第２階層の４種類の分類名とは異なる他の４種類の分類名と、その第２階層の分類名の内の「配管クリーン」に属する第３階層の操作項目との表示例を示す説明図である。
【図８】図８（ａ）は第１階層の発電メニューに属する第２階層の４種類の分類名と、その第２階層の分類名の内の「不在停止」に属する第３階層の操作項目との表示例を示す説明図であり、図８（ｂ）は第２階層の「配管クリーン」に属する操作項目を選択（変更設定）することにより履歴表示部の表示が変更された後の表示例を示す説明図である。
【発明を実施するための形態】
【００１７】
以下、本発明の実施形態を図面に基づいて説明する。
【００１８】
図１は、本発明の実施形態に係る遠隔操作装置としてリモコン１と、このリモコン１により遠隔操作される遠隔操作対象として給湯・ふろ・暖房・発電機能を備えた給湯装置２を示す。かかる給湯装置２としては熱・電併給のコジェネレーションシステム等が例示される。そして、このような給湯装置２を作動制御するコントローラ３と、前記リモコン１とが互いに通信接続されて、リモコン１からの遠隔操作に係る制御信号や設定信号等がコントローラ３に送出され、コントローラ３はこれらの制御信号や設定信号に基づいて給湯装置２の作動制御を行うことになる。
【００１９】
コントローラ３は図２に示すように給湯機能を作動制御するための給湯制御手段３１と、ふろ機能を作動制御するためのふろ制御手段３２と、暖房機能を作動制御するための暖房制御手段３３と、発電機能を作動制御するための発電制御手段３４と、リモコン１との通信を制御するための通信制御手段３５とを備えている。
【００２０】
一方、リモコン１は、例えばドットマトリックス液晶により構成された表示手段４（図１も併せて参照）と、例えば押しボタン形式の各種スイッチにより構成された選択操作手段５と、記憶手段６と、表示制御手段７と、履歴取得制御手段８と、スピーカ９１からの音声出力を制御する音声出力制御手段９と、前記コントローラ３の通信制御手段３５と共にコントローラ３との通信を制御するための通信制御手段１０とを備えている。
【００２１】
選択操作手段５としては、メニュースイッチ５０（図１参照）、もどるスイッチ５１、給湯スイッチ５２、通話スイッチ５３、追いだきスイッチ５４及びふろ自動スイッチ５５等に加え、後述の操作項目における設定変更のために用いる上下移動スイッチ５６１，５６２、左右移動スイッチ５６３，５６４及び確定スイッチ５７が設けられている。
【００２２】
記憶手段６は、表示手段４に表示される全表示項目が記憶設定された表示項目記憶部６１と、各操作項目に設定された設定情報を更新・記憶するための設定情報記憶部６２と、操作項目に対する過去の選択操作（設定変更）についての履歴情報を経時順に更新・記憶するための履歴記憶部６３とを備えている。
【００２３】
表示項目記憶部６１には、全ての操作項目が多段階の階層毎に分類されて関係付けられた状態で、各階層毎の分類名と共に予め記憶設定されている。かかる階層毎の分類状況の例を図３に基づいて説明する。この例では多数の操作項目を最下層の第３階層とし、これを小分類したものを第２階層とし、さらにこの第２階層の分類名を大分類したものを最上層の第１階層としている。具体的には、遠隔操作対象の給湯装置が備える機能毎に分類し、これを第１階層として「給湯メニュー」、「ふろメニュー」、「暖房メニュー」、「発電メニュー」とし、併せて「音・その他」を加えた５つの分類名を設定している。次に、第２階層として、第１階層の各分類項目毎にそれらが有する機能について質的又は量的に変更設定し得る小分類し、例えば第１階層の「ふろメニュー」に対しては、第２階層として「ふろ洗浄」、「排水栓」、「ふろ予約」、「予約時間」、「入浴タイマー」、「配管クリーン」、「半身浴」、「ふろ温度」、「ふろ湯量」、「ふろ自動」という分類名を設定している。そして、第３階層において、例えば第２階層が「ふろ洗浄」であれば第３階層に「運転の開始／停止」、「洗浄コースとして節約／標準／強力」、「ふろ洗浄開始時間」というように、第２階層の各分類項目毎に具体的に設定変更事項を操作項目として設定しているのである。
【００２４】
表示制御手段７は、メニュー画面表示処理部７１と、履歴情報表示処理部７２と、メニュー選択時表示処理部７３と、履歴選択時表示処理部７４とを備えている。
【００２５】
メニュー画面表示処理部７１は、リモコン１（図１参照）のメニュースイッチ５０をユーザがＯＮ操作することにより処理が開始され、表示手段４に対し図４（ａ）に例示するようなメニュー画面１１を表示するようになっている。このメニュー画面１１は、左右一側（図例では左側）領域に第１階層の分類名と同数の５つのメニュー表示部１２１〜１２５が上下方向に領域設定され、これらのメニュー表示部１２１〜１２５に対し第１階層の５つの分類名（「給湯メニュー」、「ふろメニュー」、「暖房メニュー」、「発電メニュー」、「音・その他」）が表示され、他側（図例では右側）領域に所定数（図例では４つ）の履歴項目表示部１３１〜１３４を有する履歴情報表示部１３が領域設定されている。この履歴情報表示部１３の最上段位置には「最近の項目」と固定表示されて、履歴情報であることが分かるようにされている。
【００２６】
履歴項目表示部１３１〜１３４には、過去にユーザが選択操作した操作項目が属する１つ上の階層である第２階層の分類項目の名称がそれぞれ表示されるようになっている。かかる表示処理は、履歴記憶部６３に記憶設定された内容に基づき、履歴情報表示処理部７２によって行われるようになっている。ここで、前記の「選択操作」とはユーザがある操作項目を選択して設定内容を変更操作したことを意味し、その操作項目を単に選択して表示させただけでは設定内容の変更操作を伴わないため「選択操作」とは言わない（特許請求の範囲において同じ）。そして、ユーザが第３階層の操作項目のいずれかについて選択操作すると、つまり、設定変更について確定スイッチ５７（図１参照）をＯＮ操作（押し操作）すると、その設定変更情報が設定情報記憶部６２に更新記憶される一方、その更新された設定変更に係る制御信号が通信制御手段１０（図２参照）によりコントローラ３に送出されることになる。併せて、履歴取得制御手段８によって前記の選択操作に係る情報が最新の履歴情報として履歴記憶部６３に更新記憶される一方、その履歴情報（選択操作された操作項目が属する第２階層の分類項目名）が履歴情報表示処理部７２によって最上段の履歴項目表示部１３１に表示されることになる。それまでに各履歴項目表示部１３１〜１３３に表示されていた履歴情報は１段ずつ下側の履歴項目表示部１３２〜１３４に表示位置が繰り下げられ、最下段に表示されていた最も古い履歴情報は消去されるようになっている。又、遠隔操作装置による遠隔操作対象等の設置初期等において履歴情報がまだ無い場合や、履歴情報として表示すべき履歴項目が４つに満たない場合には、履歴項目表示部１３１〜１３４の全部又は該当する一部が無表示のまま空欄表示とされるようになっている。
【００２７】
図４（ｂ）には履歴情報表示部１３の各履歴項目表示部１３１〜１３４に対し具体的な履歴項目が表示された例を示している。図４（ｂ）の例では、最上段の履歴項目表示部１３１に対しユーザが最新に選択操作した操作項目（第３階層）が属する１つ上の第２階層の分類項目の「いますぐ発電」が履歴情報として表示され、順次、履歴項目表示部１３２に「床暖房２」、履歴項目表示部１３３に「不在停止」、履歴項目表示部１３４に「床暖房１」がそれぞれ履歴情報として表示されている。前記の「いますぐ発電」は、第１階層が「発電メニュー」という大分類に属する第２階層の分類項目の内の１つであり、過去にこの第２階層の分類項目「いますぐ発電」に属する「運転」又は「発電時間」についてユーザが選択操作したことをユーザに報知するようになっている。
【００２８】
以下、図５のフローチャートを参照しつつ、表示制御の主要ルーチンの内容について説明することにより表示制御の詳細を説明する。まず、メニュースイッチ５０（図１参照）がＯＮ操作されたか否かを監視し（ステップＳ１でＮＯ）、ＯＮ操作されればメニュー画面表示処理部７１によるメニュー画面表示処理を実行する（ステップＳ１でＹＥＳ，ステップＳ２）。このメニュー画面表示処理によって、リモコン１の表示手段４にはメニュー画面１１（図４（ａ）又は（ｂ）参照）が表示される。
【００２９】
次に、ユーザがメニュー画面１１の内のメニュー表示部１２１〜１２５のいずれかを選択するか、あるいは、履歴情報表示部１３の履歴項目表示部１３１〜１３４のいずれかを選択するかを監視する。いずれも選択されなければ（ステップＳ３でＮＯ）、ステップＳ２に戻りメニュー画面１１の表示を続ける。メニュー表示部１２１〜１２５のいずれかが選択されれば、メニュー選択時表示処理部７３によるメニュー選択時表示処理を実行する（ステップＳ３で「メニュー選択」についてＹＥＳ，ステップＳ４）。この場合の選択は、次のようにして行う。すなわち、メニュー表示部１２１〜１２５の内の最上段のメニュー表示部１２１が反転表示されるように初期設定されており、この反転表示が上下移動スイッチ５６１，５６２を１回押し操作するこにより押し操作した方向に１段ずつ移動するようになっている。従って、メニュー表示部１２１〜１２５の各メニューの内の選択しようとするメニューが反転表示状態になるように上下移動スイッチ５６１，５６２を押し操作し、次いで、その反転表示されたメニューの選択を確定スイッチ５７を押し操作することで確定させる。以上で第１階層の各メニュー項目からメニュー選択が行われる。
【００３０】
メニュー選択時表示処理は、図６（ａ）に例示するように、表示手段４に対しメニュー選択時表示画面１４を表示するようになっている。このメニュー選択時表示画面１４は、メニュー選択された第１階層の分類名（メニュー名）が最上段の第１階層分類表示部１５に表示され、その下側の左側領域に設定された所定数（図例では４つ）の第２階層分類表示部１６１〜１６４に対しその第１階層のメニューに属する第２階層の分類項目名がそれぞれ表示され、初期設定状態で最上段の第２階層分類表示部１６１の分類項目名が反転表示される。加えて、右側領域の操作項目表示部１７に対し反転表示された第２階層の分類項目に属する第３階層の操作項目が１又は２以上表示される。図６（ａ）の表示例は第１階層のメニューとして「ふろメニュー」が選択された例を示し、この「ふろメニュー」に属する第２階層の４つの分類項目として「ふろ洗浄」、「排水栓」、「ふろ予約」、「入浴タイマ」が第２階層表示部１６１〜１６４に表示され、操作項目表示部１７に対し反転表示されている「ふろ洗浄」に属する操作項目として「運転」と「洗浄コース」とが表示されている。同図中の符号１６５は下向きに次の分類項目が続いていることを示す下向き三角形の記号表示であり、１７１は左向きに次の操作項目が続いていることを示す右向き三角形の記号表示である。なお、後述の履歴選択時表示画面は前記のメニュー選択時表示画面１４と同様の画面構成とされているため、履歴選択時表示画面として同じ符号１４を用いて記載する。
【００３１】
そして、このメニュー選択時表示画面１４において、左右移動スイッチ５６３，５６４の右移動スイッチ５６４を押し操作することで反転表示が図６（ａ）の「ふろ洗浄」から右側の操作項目表示部１７の１つめの操作項目である「運転」（開始／停止の切換表示部分）を囲む枠１７２が反転表示に切り替わり（図６（ｂ）参照）、さらに右移動スイッチ５６４を押し操作することで順次右隣の操作項目（図６（ｂ）の表示例では右隣りの「洗浄コース」）に反転表示が移動するようになっている。なお、図６（ｂ）の表示例の場合、さらに右移動スイッチ５６４を押し操作することで、図７（ａ）の表示例の如くさらに次の操作項目である「ふろ洗浄開始時間」に対し反転表示が移動することになる。一方、図６（ａ）の表示例から下移動スイッチ５６２を４回押し操作することで、反転表示が第２階層表示部１６１〜１６４を１段ずつ下向きに移動し、ついには最下段に表示された分類項目名（「入浴タイマー」）の次の分類項目名（「配管クリーン」）を含む新たな４つの第２階層の分類項目名が第２階層表示部１６１〜１６４に表示されるようになる（図７（ｂ）参照）。
【００３２】
そして、ある操作項目が反転表示された状態で設定変更操作をした上で確定スイッチ５７を押し操作することで、その操作項目について選択操作したことになる。例えば図７（ｂ）の表示例で反転表示状態の「配管クリーン」に属する操作項目「手動運転」において下移動スイッチ５６２を押し操作することで「開始」から「停止」に変更設定し、この状態で確定スイッチ５７を押し操作することでその変更設定が確定する、つまり選択操作されたことになる。従って、この場合には、図５のフローチャートのステップＳ５で操作項目の選択操作が有ったことになるため（ステップＳ５でＹＥＳ）、次のステップＳ６の処理を実行する。すなわち、その選択操作に係る操作情報が設定情報記憶部６２に更新記憶されてその変更後の設定情報に係る制御信号が通信制御手段１０によってコントローラ３に送信されると共に、前記選択操作した操作項目と、これが属する第２階層の分類項目名とが履歴情報として履歴記憶部６３に更新記憶されてその履歴情報の内の第２階層の分類項目名が履歴情報表示部１３の最上段の履歴項目表示部１３１に表示されることになる（ステップＳ６）。例えば、前記の例で第２階層の「配管クリーン」に属する第３階層の操作項目「手動運転」が選択操作されると、メニュー画面１１においては図８（ｂ）に示すように履歴情報として「配管クリーン」が履歴情報表示部１３の最上段の履歴項目表示部１３１に表示されることになり、それまでに表示されていた履歴項目は一段ずつ下に繰り下げられることになる。
【００３３】
一方、ステップＳ３においてユーザが履歴情報を選択した場合には（ステップＳ３で「履歴選択」がＹＥＳ）、履歴選択時表示処理部７４により履歴選択時表示処理が実行されて履歴選択時表示画面１４が表示される（ステップＳ７）。すなわち、履歴情報表示部１３（図４参照）の履歴項目表示部１３１〜１３４のいずれか１つが選択操作されると、履歴選択時表示画面１４として、その選択操作された第２階層の分類項目名が最上段の第２階層表示部１６１に反転表示された状態で表示され、操作項目表示部１７にはその反転表示された分類項目に属する操作項目が表示されることになる。併せて前記の第２階層表示部１６１に表示された分類項目に続く他の３つの分類項目名が第２階層表示部１６２〜１６４に表示されることになる。例えば、図４（ｂ）の表示例において右移動スイッチ５６４を押し操作することで「いますぐ発電」（第２階層の分類項目）に反転表示を移動させ、さらに下移動スイッチ５３２を押し操作することで「不在停止」に反転表示を移動させ、その反転表示された状態で確定スイッチ５７を押し操作することで履歴項目の選択操作がなされると、図８（ａ）の表示例の履歴選択時表示画面１４の如く発電メニューに属する「不在停止」が最上段の第１階層表示部１６１に反転表示で表示され、操作項目表示部１７には「不在停止」に属する操作項目として「不在停止  する／しない」と、「停止期間設定」とが表示されることになる。なお、「不在停止」の初期設定状態が「する」を選択した状態で表示されるため、「不在停止期間設定」に係る表示も併せて行われるが、「不在停止」として「しない」を選択すると「不在停止期間設定」に係る表示は消去されることになる。
【００３４】
そして、前記と同様に反転表示を「不在停止」から右隣りの操作項目「不在停止  する／しない」に移動させ、さらに下移動スイッチ５６２で「する」から「しない」に移動させた上で確定スイッチ５７を押し操作することで、選択操作が完了する。これにより、ユーザが操作したい操作項目まで、本来のメニュー選択時表示処理に基づき所定の表示順序に従って順番に表示を切替えていって辿り着く場合と比べ、履歴情報に基づきユーザ自身が操作して記憶に残っている履歴項目名を選択するだけで、その履歴項目に属する操作項目が次画面で表示されて、目的とする操作項目を迅速かつ容易に表示させることができるようになる。
【００３５】
そして、この場合も、選択操作が行われていたため、図５のフローチャートのステップＳ８で操作項目の選択操作が有ったことになり（ステップＳ８でＹＥＳ）、ステップＳ６の処理を前述と同様に実行する。すなわち、第２階層の分類項目名「不在停止」が最上段の履歴項目表示部１３１に表示され、それまでの履歴項目は１段ずつ繰り下がることになる。但し、前記選択操作した操作項目と、これが属する第２階層の分類項目名とが履歴情報として履歴記憶部６３に更新記憶されはするものの、それまでに表示されていた最上段の履歴項目表示部１３１の表示内容と、今回の最新の履歴情報に係る第２階層の分類項目名とが同一である場合には、表示変更は行われずにそれまでの表示が継続されることになる（ステップＳ６）。つまり、今回の選択操作の対象である操作項目が履歴情報として履歴項目表示部１３１に表示されたときの操作項目とは異なっていたとしても、それらが属する１つ上の第２階層の分類項目名が同一である場合には、そのまま同じ分類項目名が履歴情報として表示されるのである。これにより、多数ある操作項目の名称自体よりも機能により分類された第２階層の分類項目名の方が、ユーザにとっては自己が行いたい設定変更と容易に関連付けて把握することができ、操作項目名を履歴情報として表示する場合よりもユーザにとって容易に目的とする操作項目に辿り着けることができるようになる。
【符号の説明】
【００３７】
１          リモコン（遠隔操作装置）
３          コントローラ（遠隔操作対象）
４          表示手段
５          選択操作手段
６          記憶手段
７          表示制御手段
１３        履歴情報表示部
【図１】
0005712543.tif 000002
【図２】
0005712543.tif 000003
【図３】
0005712543.tif 000004
【図４】
0005712543.tif 000005
【図５】
0005712543.tif 000006
【図６】
0005712543.tif 000007
【図７】
0005712543.tif 000008
【図８】
0005712543.tif 000009